(57)【要約】【課題】  ＣＤ，ＤＶＤ等の記録媒体を収納した貸出しケース、又は雑誌等の物品上端部を上方へ突出した状態で収容するレンタル用カバーケースの提供。【解決手段】  レンタル用カバーケースは胴体部１、底部２、表紙載置部３、及び折返し片５，６，７から成って、一枚の薄い透明又は半透明シートを折り曲げて形成し、そして、該胴体部１は長方形断面の筒体であり、胴体部１の下端部には該胴体部１の表面部８及び背面部９の下端から延びる両底片１２，１３を折り曲げて水平な載置面２２を有す底部２を設け、また、表面部８及び背面部９の下端部から延びる表紙載置片１４，１５を折り曲げて表紙載置部３を設け、そして胴体部１の表面部８、背面部９、及び側面部１０の上端から延びる折返し片５，６，７を内側に折返している。【選択図】    図３
2015202874.tif 000002
【特許請求の範囲】
【請求項１】
ＣＤ，ＤＶＤ等の記録媒体を収納した貸出しケース、又は雑誌等の貸出し物品上端部を上方へ突出した状態で収容するレンタル用カバーケースにおいて、該レンタル用カバーケースは胴体部、底部、表紙載置部、及び折返し片から成って、一枚の薄い透明又は半透明シートを折り曲げて形成し、そして、該胴体部は長方形断面の筒体であり、胴体部の下端部には該胴体部の表面部及び背面部の下端から延びる両底片を折り曲げて形成して水平な載置面を有す底部を設け、また、胴体部の下端部には胴体部の表面部及び背面部の下端部から延びる表紙載置片を折り曲げて胴体部下端から高さＨの位置に形成した水平な表紙載置部を設け、そして胴体部の表面部、背面部、及び側面部の上端から延びる折返し片を内側に折返して設けたことを特徴とするレンタル用カバーケース。
【請求項２】
上記底部を両側に分離し、両底部の間に表紙載置部を設けた請求項１記載のレンタル用カバーケース。
【請求項３】
上記底部の縦断面を台形とし、胴体部と該底部の側面との間に隙間を形成した請求項１、又は請求項２記載のレンタル用カバーケース。
【請求項４】
上記底部の一方側端を傾斜して、胴体部の側面部との間に隙間を形成した請求項１、請求項２、又は請求項３記載のレンタル用カバーケース。
【発明の詳細な説明】
【技術分野】
【０００１】
本発明は雑誌やビデオテープ、ＣＤ，ＤＶＤ等の記録媒体等をレンタルショップの陳列棚に配列してレンタルする為のレンタル用カバーケースに関するものである。
【背景技術】
【０００２】
音楽や映像を記録したＣＤ，ＤＶＤ等の円盤状記録媒体（ディスク）、ビデオテープは貸出しケースに収納された状態でレンタルされる。そして、該貸出しケースはレンタル用カバーケースに入れられてレンタルショップの陳列棚に配列されている。図６は従来から周知であるビデオテープのレンタル形態を示している場合であるが、レンタル用カバーケース（イ）には上端が開口していて、この上端開口からビデオテープを収納している貸出しケース（ロ）が収容されている。この場合、貸出しケース（ロ）の上端部はレンタル用カバーケース（イ）から上方へ突出している。
【０００３】
ところで、上記レンタル用カバーケース（イ）は樹脂を材質として射出成形されるが、図７は該レンタル用カバーケース（イ）の展開図を示している。レンタル用カバーケース（イ）はケース本体（ハ）、ケース蓋（ニ）、及び繋ぎ部（ホ）から成って、ケース蓋（ニ）をケース本体（ハ）に被覆して閉じることで箱型容器となり、上端開口から貸出しケース（ロ）が収容され得る。そして、ケース本体（ハ）の底部には貸出しケース（ロ）が載って支持される底板（ヘ）が設けられている。
【０００４】
該レンタル用カバーケース（イ）は射出成形され、外表面には表紙を挿入する為の透明シートが熱溶着されている。レンタル用カバーケース（イ）を所定の寸法・形状に射出成形する為には、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース（イ）、（イ）・・の個数は少なくなる。
【０００５】
最近では、ＣＤやＤＶＤ等の他に雑誌のレンタルも行われ、貸出しケース（ロ）の代わりに雑誌をレンタル用カバーケース（イ）に上端部を突出した状態で挿入している。出願人は薄いシートを曲げ成形して胴体部を形成したレンタル用カバーケースの出願を行っている（特開２００４−２７６９４７）。
【０００６】
特開２００４−２７６９４７号に係る「レンタル用カバーケース」は、図      ８に示すように、ＣＤ，ＤＶＤ等の記録媒体を収納した貸出しケース又は雑誌等の物品上端部を上方へ突出した状態で収容するレンタル用カバーケースにおいて、該レンタル用カバーケースは胴体部（ヌ）と台座（ト）から成り、胴体部（ヌ）は所定形状に裁断したシートを折り曲げた筒体であり、該胴体部（ヌ）に樹脂の成形品である上記台座（ト）を取着して構成している。
【０００７】
薄いシートを折り曲げた胴体部（ヌ）の下端に成形された台座（ト）が嵌って取付けられることで、ケース全体の強度・剛性が高くなり、しかも転倒することなく安定して起立することが出来る。又、表紙は胴体部（ヌ）の内側に挿入されるが、胴体上端に折返し耳部に係止して外れることはない。胴体部（ヌ）を構成するシートは０．３〜０．５ｍｍ程度であり、収容される貸出しケースとの間に大きな隙間を残すことなく製作することで、同一サイズの陳列棚には多数のレンタル用カバーケースを配列することが出来る。
【０００８】
台座（ト）は嵌入部（チ）と底部（リ）から成り、嵌入部（チ）が胴体部（ヌ）に嵌ると共に、その両側に設けたツメが胴体部両側の下端に形成した係止穴に係止して取付けられる。該台座（ト）を取付けることで、起立した際の安定性は増すが、台座（ト）はシートを曲げ成形して製作される胴体部（ヌ）とは別部品であり、コストは高くなる。すなわち、台座（ト）は樹脂の成型品であり、その為に成形用の金型を必要とすると共に、胴体部（ヌ）に組付ける作業工程がいる。
【０００９】
特開２００９−５０６６２号に係る「展示ケース」も上記特開２００４−２７６９４７号に係る「レンタル用カバーケース」と同じであり、胴体部の底に樹脂製の台座を取付けた構造としている。このようなレンタル用カバーケースでは、台座を成形する為の金型が必要であり、成形された台座を胴体部に取付ける作業工程を要するなど、レンタル用カバーケースのコストは必然的に高くなる。
【特許文献１】特開２００４−２７６９４７号に係る「レンタル用カバーケース」
【特許文献２】特開２００９−５０６６２号に係る「展示ケース」
【発明の開示】
【発明が解決しようとする課題】
【００１０】
このように、従来のレンタル用カバーケースには上記のごとき問題がある。本発明が解決しようとする課題はこの問題点であり、台座を用いることなく一枚の薄いシートを折り曲げることで、簡単にしかも安価に製作することが出来るレンタル用カバーケースを提供する。
【課題を解決するための手段】
【００１１】
本発明に係るレンタル用カバーケースは薄い透明シート又は半透明なシートを用い、該シートで筒状の胴体部と該胴体部の下端部には底部及び表紙載置部を折り曲げて形成し、そして上端部には折り返し片を有している。しかし、従来のような樹脂を成形した台座は用いないで、薄いシートだけで構成している。
底部は胴体の下端を内側へ折り返して形成しているが、単に折り返しただけでなく、その縦断面は台形を成しており、上面は貸出ケース又はレンタル品が載る水平な載置面を成している。
【００１２】
そして、該底部は胴体部全長にわたって設けられることなく、一部が切欠かれて表紙載置部としている。表紙載置部は胴体部の下端から僅かな高さに設けられ、胴体部に挿入された表紙の下端が載ることが出来る部位と成るもので、胴体の下端部を内側へ折り返して水平な面を形成している。すなわち、貸出ケース又はレンタル品が載る水平な載置面より低いが、表紙が載る表紙載置部は胴体部下端から高さＨの位置に設けている。
【００１３】
底部の側面は傾斜し、胴体部内面との間に隙間を形成している。そこで、薄い透明シート又は半透明なシートを折り曲げることで、胴体部、底部、表紙載置部、及び折り返し片が形成されるように、該シートは所定の形状に裁断される。胴体部はその側面部にて互いに止着されて長方形断面の筒形を成し、また底部は胴体部の表面部と背面部の下端から延びる底片を折り曲げ、両底片の先端部を重ね合せて止着され、形が崩れないようにしている。さらに、表紙際知部は胴体部の表面部と背面部の下端部から延びる表紙載置片を折り曲げ、両表紙載置片を重ね合せて止着される。
【発明の効果】
【００１４】
本発明のレンタル用カバーケースは一枚のシートを所定の形状に裁断又は切断され、このシートを折り曲げることでカバーケースは組み立てることが出来る。すなわち、胴体部と該胴体部の下端部には底部と表紙載置部を、そして胴体部の上端部には折り返し片を一枚のシートから形成することが出来る。従って、本発明のレンタル用カバーケースの製作コストは安くなる。
【００１５】
樹脂で成形した台座を胴体部の底に取付けなくてもケース全体の強度・剛性が低下することはなく、しかもケースは転倒することなく安定して起立することが出来る。すなわち、底部及び表紙載置部は胴体部の表面部と背面部の下端から内側へシートを延ばして先端部を互いに止着し、底部の縦断面は台形を成して形が崩れないようにしている。さらに、表紙載置部は胴体部下端から所定の高さに水平面を成しており、ケースの底部側の剛性は樹脂製の台座に匹敵するほど高くなると共に、表面部及び背面部の膨らみが防止される。
【００１６】
一方、表紙は胴体部の内側に挿入されるが、胴体部上端に形成した折返し片に表紙の上端部は係止して外れることはなく、また表紙の下端部は底部と胴体部の間に形成される隙間に嵌り、表紙載置部に載って位置決め・保持される。胴体部を構成するシートはその厚さが薄く、収容される貸出しケース及び雑誌との間に大きな隙間を残すことはなく製作することで、同一サイズの陳列棚には多数のレンタル用カバーケースを配列することが出来る。
【００１７】
例えば、マンガをこのカバーケースに入れてレンタル用として陳列する場合、マンガの表紙を取外して胴体部内面にセットし、マンガ自体はカバーケースに収容する。そこで、表紙の下端部は底部と胴体部との隙間に挿入すると共に表紙載置部に載って支持し、上端は折返し片との間に挟まれる。そして、マンガは底部載置面に載ることでカバーケース上端開口から一部が突出した状態と成る。
【００１８】
本発明のカバーケースは胴体部の下端部に底部を設けると共に、底部の一部を切欠いて表紙載置部を形成している。表紙載置部は胴体部下端より高さＨの位置に設けている為に、従来から多用されている前記図８に示すカバーケースと共に陳列棚に配列して使う際に、表紙の上端は共に一致して不揃いになることはなく、そのために、陳列形態の外観が損なわれることはない。
【図面の簡単な説明】
【００１９】
【図１】本発明に係るレンタル用カバーケースの実施例で、折り返し片が上方へ延びている状態。
【図２】本発明に係るレンタル用カバーケースの展開図。
【図３】本発明のレンタル用カバーケース。
【図４】レンタル用カバーケースの下端部断面図。
【図５】レンタル用カバーケースに雑誌を収容した場合の縦断面図。
【図６】従来のレンタル用カバーケース。
【図７】従来のレンタル用カバーケースの展開図。
【図８】胴体部の下端に台座を嵌めた従来のレンタル用カバーケース。
【発明を実施するための形態】
【００２０】
図１は本発明に係るレンタル用カバーケースを示す実施例である。同図の１は胴体部、２ａ，２ｂは底部、３は表紙載置部を表わし、該底部２ａ，２ｂ及び表紙載置部３は胴体部１の下端部に形成され、胴体部１の内部は収容空間４を形成している。そして、胴体部１の上端には折り返し片５，６，７を設けている。ここで、胴体部１は樹脂製の透明シートを所定の形状に裁断し、これを折り曲げ成形して製作される。
【００２１】
このように、レンタル用カバーケースは胴体部１と底部２、表紙載置部３、及び折り返し片５，６，７を１枚のシートで構成し、胴体部１の収容空間４にはＣＤやＤＶＤを入れた貸出しケース、又は雑誌が収容される。
上記底部２ａ，２ｂは表紙載置部３の両側に設けられ、底部２ａ，２ｂが切欠かれた状態となって表紙載置部３は胴体部１の下端から高さＨの位置に水平を成して形成されている。
【００２２】
図２は裁断された樹脂製の透明又は半透明シートであり、表面部８、背面部９、側面部１０、及び側面部１１ａ，１１ｂ、さらに表面部８の上端には折返し片５、背面部９の上端には折返し片６、側面部１０の上端には折返し片７を有している。又、表面部８の下端には底片１２ａ，１２ｂを、背面部９の下端には底片１３ａ，１３ｂを有している。また、底片１２ａ，１２ｂの間には表紙載置片１４が形成され、同じく底片１３ａ，１３ｂの間には表紙載置片１５を設けている。そして、同図の点線部にて折り曲げることで胴体部１、底部２、及び表紙載置部３が作られる。
【００２３】
上記点線部を介して折り曲げられて図１に示す胴体部１が作られるが、側面部１１ａと側面部１１ｂは互いに重なり合って止着されることで長方形断面の筒形と成り、又、折返し片５，６，７は内側に折り曲げられる。そして、該表面部８及び背面部９の下端から下方へ延びる底片１２ａ，１２ｂは点線部１６ａ，１６ａにて内側へ折り曲げられ、点線部１６ｂ、１６ｂにて折り曲げた底片先端部１７ａ、１７ｂは水平（表面部に対して垂直方向）に配置され、同じく底片１３ａ、１３ｂは点線部１８ａ，１８ａにて内側へ折り曲げられ、点線部１８ｂ，１８ｂにて折り曲げた底片先端部１９ａ、１９ｂは水平（背面部に対して垂直方向）に配置させる。
【００２４】
そして、表紙載置片１４は点線部２０にて内側へ折り曲げられ、同じく表紙載置片１５は点線部２１にて内側へ折り曲げられる。ここで、点線部２０は底片１２ａ，１２ｂを折り曲げる為の点線部１６ａより上側に位置し、点線部２１は底片１３ａ，１３ｂを折り曲げる為の点線部１８ａより上側に位置している。
点線部１６ａ，１８ａは胴体部１の下端となり、その為に、点線部１６ａと点線部２０との間隔（距離）はＨとし、同じく点線部１８ａと点線部２１との間隔はＨと成っている。
【００２５】
長方形断面の胴体部１の表面部８と背面部９は対向し、その為に、水平に位置する底片１２ａ，１２ｂの底片先端部１７ａ，１７ｂと底片１３ａ，１３ｂの底片先端部１９ａ，１９ｂは互いに重なり合って止着されることで縦断面台形の底部２となる。すなわち、両底片１２ａ，１２ｂ，１３ａ，１３ｂの底片先端部１７ａ，１７ｂ、１９ａ，１９ｂが重なり合って形成される底部２は、その断面が台形となり、水平な底片先端部１７ａ，１７ｂ，１９ａ，１９ｂは載置面２２となって、胴体部１の収容空間４に収納した貸出ケース又は雑誌は該載置面２２に載ることが出来る。
【００２６】
点線部２０にて内側へ折り曲げた表紙載置片１４と点線部２１にて内側へ折り曲げた表紙載置片１５は互いに止着されて水平面と成る。そして、この水平面には胴体部１に挿入した表紙の下端が載置されることになり、胴体部１の下端から高さＨの位置に形成される表紙載置部３の上に載って支持されることになる。
そして、表紙載置片１４，１５が互いに重なり合って止着されることで、薄いシートで構成されるカバーケースの胴体部１の剛性が向上し、表面部８と背面部９の外側への膨らみが抑制される。
【００２７】
前記図１は胴体部１の下端部に底部２と表紙載置部３を形成し、胴体部１の上端には折返し片５，６，７が延びている状態のレンタル用カバーケースであり、該レンタル用カバーケースに収容されて貸し出される雑誌、ＣＤ、ＤＶＤなどの内容を表示した表紙は胴体部１の内面に巻付け、胴体部１の上端に形成した折返し片５，６，７を図３のように折返すことで表紙は折返し片５，６，７に係止して胴体部１から外れることはない。そして、このレンタル用カバーケースの収容空間４には雑誌、又はＣＤ，ＤＶＤ等を入れた貸出しケースが収容される。
【００２８】
例えば、雑誌のレンタル用カバーケースとして用いる場合、収容空間４に雑誌が挿入されて底部２の載置面２２に載置され、雑誌の上端部は開口から上方へ突出する。この雑誌は、ＤＶＤの場合とは違い、貸出しケースに収納されることなく、そのままの状態でレンタル用カバーケースに収容されている。このように、マンガなどの各種雑誌はレンタル用カバーケースに収容された状態で陳列棚に配列され、客は該レンタル用カバーケースから所望の雑誌を抜き取って借りることが出来る。
【００２９】
そして、この場合、雑誌から表紙が取外されて胴体部１の内面に巻き付けられる。図４はレンタル用カバーケースの下端部断面を示しているように、胴体部１と底部２との間に形成される隙間２３に表紙２４の下端部が挿入される。底部２は縦断面が台形を成していて、その為に側面２５，２５は傾斜しており、胴体部１との間に隙間２３，２３が形成される。隙間２３，２３には胴体部１の内面に面して挿入される表紙２４の下端部が嵌るが、該隙間２３，２３の先端まで達すことはなく、表紙載置部３の上面に載って支持される。
また、底部２の片側側端も傾斜し、胴体部１の側面との間に隙間が形成され、この隙間にも表紙２４が嵌る。さらに、表紙２４の上端は胴体部１の上端に形成している折返し片５，６，７に挟まれる。
【００３０】
底部２の載置面２２には雑誌２６が載って支持され、該雑誌２６の上端部はカバーケースから突出する。図５はこの状態を表している縦断面図である。顧客はカバーケースから雑誌２６を抜き取って借りることが出来、この際に表紙２４は該カバーケースから外れることはない。すなわち、胴体部１の上端には折返し片５，６，７が設けられ、表紙２４はこの折返し片５，６，７に係止して雑誌２６と共に胴体部１から抜き取られることはない。
【００３１】
表紙２４は雑誌２６のカバーとして元々備わっているもので、その高さは雑誌２６と同じであり、底部２の載置面２２に載ることで該雑誌２６はカバーケースの上端開口から突出する。これに対して、表紙２４の下端部は底部２の側面２５と胴体部１との間に形成される隙間２３に嵌ると共に表紙載置部３に載って支持されることで、カバーケース上端開口から突出することはなく、折返し片５，６，７に挟まれる。
【００３２】
一方、ＣＤやＤＶＤ等のディスクの場合には、そのままレンタル用カバーケースに収容することは出来ない為に、一旦、ロックされている貸出しケースに収納し、該貸出しケースをレンタル用カバーケースに収容することが出来る。
ところで、本発明に係るレンタル用カバーケースのみを陳列棚に配列する場合もあるが、前記図８に示すレンタル用カバーケースと共に配列する場合もある。
【００３３】
図８のレンタル用カバーケースと共に配列する場合、本発明では胴体部１に挿入した表紙２４は胴体部１の下端から高さＨの位置に設けた表紙載置部３に載って支持される。この高さＨは図８に示す台座（ト）の底部（リ）の高さであり、その為にそれぞれ配列したレンタル用カバーケースにセットした表紙の上端は一定の高さに揃えられる。従って、陳列棚に異なるカバーケースと共に配列した際の外観が損なわれることはない。
【符号の説明】
【００３４】
１  胴体部
２  底部
３  表紙載置部
４  収容空間
５  折返し片
６  折返し片
７  折返し片
８  表面部
９  背面部
10  側面部
11  側面部
12  底片
13  底片
14  表紙載置片
15  表紙載置片
16  点線部
17  底片先端部
18  点線部
19  底片先端部
20  点線部
21  点線部
22  載置面
23  隙間
24  表紙
25  側面
26  雑誌
【図１】
2015202874.tif 000003
【図２】
2015202874.tif 000004
【図３】
2015202874.tif 000005
【図４】
2015202874.tif 000006
【図５】
2015202874.tif 000007
【図６】
2015202874.tif 000008
【図７】
2015202874.tif 000009
【図８】
2015202874.tif 000010